(57)【要約】【課題】デジタルビデオテープの実質的な録画時間が規格として定められた録画時間より長くなるときにも、デジタルビデオテープに記録された映像信号の全てを、光ディスクに、空き領域を生じさせることなく記録する。【解決手段】デジタルビデオカメラ１においてデジタルビデオテープ１１を先頭位置から記録の終了位置まで早送りさせたときにデジタルビデオカメラ１から出力される信号に基づいて、デジタルビデオテープ１１に記録された映像信号の記録時間を取得する記録時間取得手段２５を備え、自動補正モードとなるときには、ビットレート算出手段２６は、記録時間取得手段２５により取得された記録時間に基づいて、記録用映像信号を光ディスク２３に記録する。【選択図】  図１
2005167742.tif 000002
【特許請求の範囲】
【請求項１】
デジタルビデオテープを再生するデジタルビデオカメラから出力されるデジタル映像信号である再生映像信号を、光ディスクに記録する映像信号である記録用映像信号に信号変換する信号変換手段と、
再生映像信号を記録用映像信号に信号変換して光ディスクに記録するときのビットレートを算出するビットレート算出手段とを備えたＤＶＤレコーダにおいて、
リモートコントローラに設けられた自動ダビングキーと、
デジタルビデオカメラにおいてデジタルビデオテープを先頭位置から記録の終了位置まで早送りさせたときにデジタルビデオカメラから出力される信号に基づいて、デジタルビデオテープに記録された映像信号の記録時間を取得する記録時間取得手段とを備え、
自動ダビングキーが操作されたときには、記録時間取得手段にはデジタルビデオテープに記録された映像信号の記録時間を取得させ且つビットレート算出手段には記録時間取得手段により取得された記録時間に基づき、記録用映像信号を光ディスクに記録するときのビットレートであり、光ディスクへの記録用映像信号の記録の開始時から終了時まで適用される一定の値としてのビットレートを算出させ且つ信号変換手段にはビットレート算出手段において算出されたビットレートに従って信号変換を行わせることにより、記録用映像信号を光ディスクに記録することを特徴とするＤＶＤレコーダ。
【請求項２】
デジタルビデオテープを再生するデジタルビデオカメラから出力されるデジタル映像信号である再生映像信号を、光ディスクに記録する映像信号である記録用映像信号に信号変換する信号変換手段と、
再生映像信号を記録用映像信号に信号変換して光ディスクに記録するときのビットレートを算出するビットレート算出手段とを備えた映像信号記録装置において、
デジタルビデオカメラにおいてデジタルビデオテープを先頭位置から記録の終了位置まで早送りさせたときにデジタルビデオカメラから出力される信号に基づいて、デジタルビデオテープに記録された映像信号の記録時間を取得する記録時間取得手段を備え、
自動補正モードとなるときには、ビットレート算出手段は、記録時間取得手段により取得された記録時間に基づいて、記録用映像信号を光ディスクに記録するときのビットレートを算出することを特徴とする映像信号記録装置。
【請求項３】
ビットレート算出手段において算出されるビットレートは、光ディスクへの記録用映像信号の記録の開始時から終了時まで適用される一定の値であることを特徴とする請求項２記載の映像信号記録装置。
【請求項４】
ビットレート算出手段において算出されるビットレートは、光ディスクへの記録用映像信号の記録の終了側において値が減少することを特徴とする請求項２記載の映像信号記録装置。
【請求項５】
設定に関連するメニュー画面を表示させる設定キーを備え、
動作の停止状態において設定キーを操作したときに最初に表示されるメニュー画面において自動補正モードへの移行を選択可能にしたことを特徴とする請求項２から請求項４までのいずれかに記載の映像信号記録装置。
【発明の詳細な説明】
【技術分野】
【０００１】
本発明は、デジタルビデオテープを再生するデジタルビデオカメラから出力されるデジタル映像信号を伸長した後、符号化して光ディスクに記録するＤＶＤレコーダおよび映像信号記録装置に関するものである。
【背景技術】
【０００２】
デジタルビデオカセットテープにおいて、８０分の映像信号を記録可能なテープ（以下では８０分テープと称する）を用いる場合、ロングモードを採用すると、１２０分の映像信号を記録することができる。このため、８０分テープにロングモードで記録された映像信号を再生するとともに、再生して得られた映像信号を、ＤＶＤ規格の映像信号に変換して光ディスクに記録する場合、映像信号の劣化を最少にする目的から、光ディスクに記録するときの映像信号のビットレートには、１２０分の映像信号に対応するビットレートである５Ｍｂｐｓが用いられるようになっている（第１の従来技術とする）。
【０００３】
また、以下に示す従来技術が提案されている（第２の従来技術とする）。すなわち、この技術においては、ディスクの記録可能な残量を求め、表示している。このため、ユーザは、表示された残量から記録可能な容量を知り、残量の範囲内において、これから記録しようとする情報の記録容量と、その情報の記録時間を入力するようになっている。そして、入力された情報の記録容量ｗと記録時間ｔとに基づき、Ｒ１＝ｗ／ｔ−αなる演算を行うことによって、ビデオ信号を記録するときの平均伝送レートＲ１を求めるようになっている（例えば、特許文献１参照）。
【０００４】
また、以下に示す従来技術が提案されている（第３の従来技術とする）。すなわち、この技術においては、光ディスクに記録可能な最大容量Ｄを読み取るとともに、ユーザの希望記録時間Ｔが入力されるようになっている。そして、Ｒ２＝Ｄ／Ｔなる演算を行うことによって、転送レートＲ２を演算し、演算した転送レートでもって、ビデオ信号や音声信号等を光ディスクに記録している（例えば、特許文献２参照）。
【０００５】
また、以下に示す従来技術が提案されている（第４の従来技術とする）。すなわち、この技術においては、録画予約された番組のうち、自動画質に設定された番組全ての録画時間である記録時間ｔを求めている。そして、記録可能な残量をｗとすると、Ｒ３＝（ｗ−ｂ）／ｔなる演算（ｂは予備容量を示す）を行うことによって、録画時の平均記録レートＲ３を求めている（例えば、特許文献３参照）。
【特許文献１】特開平６−７６４７４号公報（第００２２−００２４段落）
【特許文献２】特開平１０−１４３９９９号公報（第００１９−００２４段落）
【特許文献３】特開平１１−１７６０９６号公報（第０６４４−０６４６段落）
【発明の開示】
【発明が解決しようとする課題】
【０００６】
しかしながら、第１の従来技術を用いた場合には、以下に示す問題を生じていた。すなわち、８０分テープにロングモードで映像信号を記録する場合、記録可能な録画時間は１２０分を超える。これは、デジタルビデオテープの走行において微小な速度エラーが生じるときにも、規格値である１２０分の映像信号の記録を可能にするため、実質的には、１２０分よりも数分程度は長く映像信号が記録可能なように、デジタルビデオテープが製造されているためである。従って、８０分テープに、ロングモードで、デジタルビデオテープの最後まで映像信号を記録した場合、記録された映像信号の記録時間は１２０分を超える。
【０００７】
このため、１２０分の映像信号を、空き領域を残すことなく記録することが可能なビットレートで、デジタルビデオテープを再生して得られた映像信号を光ディスクに記録する場合、１２０分を超える部分の映像信号については、光ディスクに記録できなくなる。つまり、８０分テープにロングモードを用いて、デジタルビデオテープの最後まで映像信号を記録したときに、このデジタルビデオテープに記録された映像信号を、８０分テープのロングモードに対応して用意された設定によって光ディスクに記録する場合、光ディスクに記録される映像信号は、尻切れの映像信号になっていた。
【０００８】
このため、ビットレートをユーザが設定して、テスト的な記録を行い、尻切れを生じることなく、且つ、空き領域を残すことなく記録できるかどうかを試す必要があり、手間を要することになる。また、ビットレートの設定が適切ではなかったことから、空き領域が大きくなったり、僅かではあるが尻切れが生じるようなときでは、再度、ビットレートを変更した記録が必要となる。従って、１回の書き込みのみが可能な光ディスクを用いる場合では、光ディスクが不要に消耗される。
【０００９】
第２の従来技術においては、記録時間はユーザにより入力されるようになっている。このため、第１の従来技術において生じる問題、すなわち、デジタルビデオテープに記録された映像信号のうち、記録時間が１２０分を超える部分については、光ディスクに記録されないという問題を解決しようとする場合には、適用することが困難な技術となっていた。
【００１０】
また、第３の従来技術においても、同様に、希望記録時間はユーザにより入力されるようになっている。このため、第１の従来技術において生じる問題、すなわち、デジタルビデオテープに記録された映像信号のうち、記録時間が１２０分を超える部分については、光ディスクに記録されないという問題を解決しようとする場合には、適用することが困難な技術となっていた。
【００１１】
また、第４の従来技術においても、同様に、記録時間は、ユーザにより設定された録画予約の番組のうち、自動画質として設定された部分により定まるようになっている。このため、第１の従来技術において生じる問題、すなわち、デジタルビデオテープに記録された映像信号のうち、記録時間が１２０分を超える部分については、光ディスクに記録されないという問題を解決しようとする場合には適用することが困難な技術となっていた。
【００１２】
本発明は、上記の問題点を解決するため創案されたものであり、デジタルビデオテープの実質的な録画時間が規格として定められた録画時間より長くなるときにも、デジタルビデオテープに記録された映像信号の全てを、光ディスクに、空き領域を生じさせることなく記録することのでき、且つ、光ディスクに記録される映像信号の画質の部分的な劣化を防止することのでき、且つ、ダビングにおけるキー操作の複雑化を抑制することのできるＤＶＤレコーダを提供することにある。
【００１３】
また本発明の目的は、デジタルビデオテープを先頭位置から記録の終了位置まで早送りさせたときに得られる信号に基づいて、デジタルビデオテープに記録された映像信号の記録時間を取得するとともに、取得した記録時間に基づいて記録用映像信号のビットレートを算出することにより、デジタルビデオテープの実質的な録画時間が規格として定められた録画時間より長くなるときにも、デジタルビデオテープに記録された映像信号の全てを、光ディスクに、空き領域を生じさせることなく記録することのできる映像信号記録装置を提供することにある。
【００１４】
また上記目的に加え、記録用映像信号のビットレートを、光ディスクへの記録の開始時から終了時まで一定の値とすることにより、光ディスクに記録される映像信号の画質の部分的な劣化を防止することのできる映像信号記録装置を提供することにある。
【００１５】
また上記目的に加え、記録用映像信号のビットレートを、光ディスクへの記録用映像信号の記録の終了側において減少させることにより、光ディスクに記録される映像信号の大部分において画質の劣化を防止するとともに、画質の劣化が生じるときにも、劣化が生じる時間を最少とすることのできる映像信号記録装置を提供することにある。
【００１６】
また上記目的に加え、キースイッチの増加を招くことなく、自動補正モードに移行するためのキー操作の複雑化を抑制することのできる映像信号記録装置を提供することにある。
【課題を解決するための手段】
【００１７】
上記の課題を解決するため、本発明に係るＤＶＤレコーダは、デジタルビデオテープを再生するデジタルビデオカメラから出力されるデジタル映像信号である再生映像信号を、光ディスクに記録する映像信号である記録用映像信号に信号変換する信号変換手段と、再生映像信号を記録用映像信号に信号変換して光ディスクに記録するときのビットレートを算出するビットレート算出手段とを備えたＤＶＤレコーダに適用している。そして、リモートコントローラに設けられた自動ダビングキーと、デジタルビデオカメラにおいてデジタルビデオテープを先頭位置から記録の終了位置まで早送りさせたときにデジタルビデオカメラから出力される信号に基づいて、デジタルビデオテープに記録された映像信号の記録時間を取得する記録時間取得手段とを備え、自動ダビングキーが操作されたときには、記録時間取得手段にはデジタルビデオテープに記録された映像信号の記録時間を取得させ且つビットレート算出手段には記録時間取得手段により取得された記録時間に基づき、記録用映像信号を光ディスクに記録するときのビットレートであり、光ディスクへの記録用映像信号の記録の開始時から終了時まで適用される一定の値としてのビットレートを算出させ且つ信号変換手段にはビットレート算出手段において算出されたビットレートに従って信号変換を行わせることにより、記録用映像信号を光ディスクに記録するようになっている。
【００１８】
すなわち、記録時間取得手段により取得された記録時間に基づいてビットレートを算出する場合では、デジタルビデオテープに記録された映像信号の全てを、尻切れを生じることなく、且つ、空き領域を生じることなく、ぴったりと光ディスクに記録するときに最適となるビットレートを求めることができる。且つ、光ディスクに記録される映像信号の画質は、記録の開始時から終了時まで一定の画質に維持される。且つ、１回の自動ダビングキーの操作のみでもって、デジタルビデオテープに記録された映像信号の光ディスクへのダビングを開始させることができる。
【００１９】
また本発明に係る映像信号記録装置は、デジタルビデオテープを再生するデジタルビデオカメラから出力されるデジタル映像信号である再生映像信号を、光ディスクに記録する映像信号である記録用映像信号に信号変換する信号変換手段と、再生映像信号を記録用映像信号に信号変換して光ディスクに記録するときのビットレートを算出するビットレート算出手段とを備えた映像信号記録装置に適用している。そして、デジタルビデオカメラにおいてデジタルビデオテープを先頭位置から記録の終了位置まで早送りさせたときにデジタルビデオカメラから出力される信号に基づいて、デジタルビデオテープに記録された映像信号の記録時間を取得する記録時間取得手段を備え、自動補正モードとなるときには、ビットレート算出手段は、記録時間取得手段により取得された記録時間に基づいて、記録用映像信号を光ディスクに記録するときのビットレートを算出するようになっている。
【００２０】
すなわち、記録時間取得手段により取得された記録時間に基づいてビットレートを算出する場合では、デジタルビデオテープに記録された映像信号の全てを、尻切れを生じることなく、且つ、空き領域を生じることなく、ぴったりと光ディスクに記録するときに最適となるビットレートを求めることができる。
【００２１】
また上記構成に加え、ビットレート算出手段において算出されるビットレートは、光ディスクへの記録用映像信号の記録の開始時から終了時まで適用される一定の値となっている。すなわち、光ディスクに記録される映像信号の画質は、記録の開始時から終了時まで一定の画質に維持される。
【００２２】
また上記構成に加え、ビットレート算出手段において算出されるビットレートは、光ディスクへの記録用映像信号の記録の終了側において値が減少するようになっている。すなわち、記録の終了が近づかない大部分の期間において記録される映像信号には画質の劣化が生じない。
【００２３】
また上記構成に加え、設定に関連するメニュー画面を表示させる設定キーを備え、動作の停止状態において設定キーを操作したときに最初に表示されるメニュー画面において自動補正モードへの移行を選択可能にしている。すなわち、メニュー画面を表示させるために行う設定キーの操作、カーソルを移動させるためのキー操作、決定を入力するためのキー操作の、３種のキー操作を行うのみで、自動補正モードに移行させることができる。
【発明の効果】
【００２４】
本発明によれば、記録時間取得手段により取得された記録時間に基づいてビットレートを算出するので、デジタルビデオテープに記録された映像信号の全てを、尻切れを生じることなく、且つ、空き領域を生じることなく、ぴったりと光ディスクに記録するときに最適となるビットレートを求めることができる。また、光ディスクに記録される映像信号の画質は、記録の開始時から終了時まで一定の画質に維持される。また、自動ダビングキーの１回のキー操作でもって、デジタルビデオテープに記録された映像信号の光ディスクへのダビングを開始させることができる。このため、デジタルビデオテープの実質的な録画時間が規格として定められた録画時間より長くなるときにも、デジタルビデオテープに記録された映像信号の全てを光ディスクに記録することができ、且つ、光ディスクに記録される映像信号の部分的な画質の劣化を防止することができ、且つ、ダビングにおけるキー操作の複雑化を抑制することができる。
【００２５】
また本発明によれば、記録時間取得手段により取得された記録時間に基づいてビットレートを算出しているので、デジタルビデオテープに記録された映像信号の全てを、尻切れを生じることなく、且つ、空き領域を生じることなく、ぴったりと光ディスクに記録するときに最適となるビットレートを求めることができるため、デジタルビデオテープの実質的な録画時間が規格として定められた録画時間より長くなるときにも、デジタルビデオテープに記録された映像信号の全てを、光ディスクに、空き領域を生じさせることなく記録することができる。
【００２６】
またさらに、光ディスクに記録される映像信号の画質は、記録の開始時から終了時まで一定の画質に維持されるので、光ディスクに記録される映像信号の画質の部分的な劣化を防止することができる。
【００２７】
またさらに、記録の終了が近づかない大部分の期間において記録される映像信号には画質の劣化が生じないので、光ディスクに記録される映像信号の大部分において画質の劣化を防止するとともに、画質の劣化が生じるときにも、劣化が生じる時間を最少とすることができる。
【００２８】
またさらに、メニュー画面を表示させるために行う設定キーの操作、カーソルを移動させるためのキー操作、決定を入力するためのキー操作の、３種のキー操作を行うのみで、自動補正モードに移行させることができるので、キースイッチの増加を招くことなく、自動補正モードに移行するためのキー操作の複雑化を抑制することができる。
【発明を実施するための最良の形態】
【００２９】
以下、本発明の実施の形態について図を参照して説明する。
【実施例１】
【００３０】
図１は、本発明に係る映像信号記録装置の一実施形態であるＤＶＤレコーダの電気的構成を示すブロック線図である。
【００３１】
図において、ＤＶＤレコーダの装置本体３１とデジタルビデオカメラ１とを接続するケーブル２ｃおよびコネクタ２ａ，２ｂは、ＩＥＥＥ１３９４として定めれた規格のケーブルとコネクタとなっている。そして、コネクタ２ａはケーブル２ｃの端部に設けられており、コネクタ２ｂはＤＶＤレコーダの装置本体３１の側に取り付けられている。
【００３２】
通信制御手段３は、ＩＥＥＥ１３９４としての規格に従った通信方法でもって、デジタルビデオカメラ１との間で情報の遣り取りを行う。そして、情報の遣り取りにおいてデジタルビデオカメラ１から出力された情報（機種を示す情報や受け付けが可能なコマンドの一覧を示す情報等）をマイクロコンピュータ５に出力する。また、マイクロコンピュータ５から出力されたコマンド等の情報をデジタルビデオカメラ１に出力する。また、デジタルビデオカメラ１から出力されるデジタル映像信号（以下では再生映像信号と称する）をＤＶデコーダ２７に送出する。
【００３３】
デジタルビデオカメラ１は、撮像された映像を示すデジタル映像信号を、内部にセットされたデジタルビデオテープ１１に記録する。また、デジタルビデオテープ１１に記録されたデジタル映像信号を再生するとともに、再生により得られたデジタル映像信号（再生映像信号）を、ケーブル２ｃ、コネクタ２ａ，２ｂを介して、通信制御手段３に出力する。
【００３４】
また、再生コマンドや早送りコマンドや巻き戻しコマンド等のような、デジタルビデオカメラとしての動作を示す種々のコマンドのうち、受け付けが可能なコマンドの一覧を通信制御手段３に出力する。そして、受け付けが可能なコマンドのうちの１つが、通信制御手段３を介して、マイクロコンピュータ５から与えられたときには、コマンドにより示される動作を実行する。
【００３５】
ＤＶデコーダ（以下では、単にデコーダと称する）２７は、再生映像信号がＤＶ規格（デジタルＶＴＲにおけるＳＤ仕様に沿った規格）のデジタル映像信号となっていることから、再生映像信号をＤＶ規格に従って伸長する。そして、伸長して得られたデジタル映像信号をＭＰＥＧ２エンコーダ（以下では、単にエンコーダと称する）２８に出力する。エンコーダ２８は、デコーダ２７より出力されるデジタル映像信号を符号化することによって、光ディスク規格のデジタル映像信号（ＭＰＥＧ２の規格に従って符号化された信号であり、以下では記録用映像信号と称する）を生成する。そして、生成した記録用映像信号を記録再生信号回路６に出力する。
【００３６】
すなわち、デコーダ２７とエンコーダ２８とからなるブロック４は、請求項記載の信号変換手段となっており、デジタルビデオカメラ１から出力される再生映像信号を、ＤＶＤ−Ｒ等の、光ディスク規格のデジタル映像信号を記録可能な光ディスク２３に記録するときに用いる記録用映像信号に変換する（オーディオ信号については、図示が省略されている）。
【００３７】
記録再生信号回路６は、記録時には、信号変換手段４から出力される記録用映像信号に基づいて、ピックアップ２２を駆動する駆動信号を生成し、ピックアップ２２に出力する。また、再生時には、ピックアップ２２より出力される信号からＲＦ信号を取り出して再生信号処理手段７に出力する。
【００３８】
ピックアップ２２は、記録時には、記録再生信号回路６から出力される駆動信号に従って、スピンドルモータ２１により回転駆動される光ディスク２３に記録用映像信号を書き込む。また、再生時には、光ディスク２３に記録されたデータを読み取って得られた信号を記録再生信号回路６に出力する（サーボ制御のための信号経路については、図示が省略されている）。
【００３９】
再生信号処理手段７は、記録再生信号回路６より出力されるＲＦ信号からデジタルデータを復号した後、エラー訂正を行う。次いで、エラー訂正することにより得られたビデオストリームを、ＭＰＥＧ２の規格に従って伸長した後、Ｄ／Ａ変換する。そして、Ｄ／Ａ変換により得られた信号であるアナログ映像信号をテレビ受像機１０に出力する。また、オーディオストリームを伸長した後、Ｄ／Ａ変換することによって得られたアナログ音声信号をテレビ受像機１０に出力する。
【００４０】
入力手段８は、装置本体３１の前面パネルに設けられた複数のキースイッチ（図示を省略）や、リモートコントローラ９から送信される赤外線信号を受光する受光ユニット（図示を省略）等を備えたブロックとなっており、ユーザからの指示が入力される。そして、ユーザからの指示が入力されたときには、入力された指示をマイクロコンピュータ５に送出する。
【００４１】
マイクロコンピュータ５は、ＤＶＤレコーダとしての主要動作を制御する。すなわち、デジタルビデオカメラ１から出力される再生映像信号を光ディスク２３に記録するときには、デコーダ２７の動作、エンコーダ２８の動作を制御する。また、光ディスク２３に記録された映像信号を再生するときには、再生信号処理手段７の動作を制御する。また、機能の一部によって、外部機器制御手段２４、記録時間取得手段２５、および、ビットレート算出手段２６を形成する。
【００４２】
なお、本実施形態においては、デジタルビデオカメラ１から出力される再生映像信号を光ディスク２３に記録するときのモードには、通常モードと自動補正モードとの２つのモードが用意されており、ユーザは、２つのモードの一方を選択することが可能になっている。
【００４３】
外部機器制御手段２４は、通信制御手段３を介して得られた情報から、デジタルビデオカメラ１が受け付けることが可能なコマンドの一覧を取得する。そして、取得したコマンドの一覧から、その時々において必要となるコマンドを選択し、デジタルビデオカメラ１に出力することによって、デジタルビデオカメラ１の動作を制御する。
【００４４】
すなわち、再生映像信号を自動補正モードを用いて光ディスク２３に記録するときには、デジタルビデオカメラ１にセットされたデジタルビデオテープ１１を先頭まで巻き戻しさせた後、早送りを行わせる。そして、早送りが終了したときには、再度、先頭まで巻き戻しをさせた後、再生を開始させる制御を行う。
【００４５】
記録時間取得手段２５は、デジタルビデオカメラ１がデジタルビデオテープ１１の早送りをしているときに、デジタルビデオカメラ１から出力される信号に基づいて、デジタルビデオテープ１１に記録された映像信号の記録時間を取得する。すなわち、デジタルビデオカメラ１においてデジタルビデオテープ１１の早送りを行うと、ヘッドを通過する部分に映像信号が記録されている場合には、デジタルビデオカメラ１からコントロール信号が出力される。また、記録時間を示すタイムスタンプが出力される。
【００４６】
このため、記録時間取得手段２５は、早送り時のコントロール信号の数を計数する。そして、計数結果から、デジタルビデオテープ１１に記録された映像信号の記録時間を算出する。また、早送り時にデジタルビデオカメラ１から出力されるタイムスタンプの値に基づき、デジタルビデオテープ１１に記録された映像信号の記録時間を算出する（この２つの方法のうち、一方の方法を用いるのみでよい）。
【００４７】
ビットレート算出手段２６は、光ディスク２３に記録用映像信号を記録するときの、記録用映像信号のビットレートを算出する。詳細には、通常モードの場合、デジタルビデオカメラ１において再生されるデジタルビデオテープ１１が、例えば、８０分の記録が可能な８０分テープであり、記録方式がロングモードとなっているときには、デジタルビデオテープ１１に記録されている映像信号は２時間であるとして、２時間分の映像信号を、空き領域を生じることなく光ディスク２３に記録するときに必要となるビットレートを算出する。そして、エンコーダ２８における符号化のビットレートが、算出したビットレートとなるようにエンコーダ２８を制御する。
【００４８】
一方、自動補正モードの場合、デジタルビデオカメラ１において再生されるデジタルビデオテープ１１が、例えば、８０分の記録が可能な８０分テープであり、記録方式がロングモードとなっているときでも、デジタルビデオテープ１１に記録されている映像信号は、実質的には、２時間を超えている場合や２時間に満たない場合もあると見なす。このため、記録用映像信号を光ディスク２３に記録するときのビットレートについては、デジタルビデオテープ１１に記録された映像信号の実質的な記録時間に基づいた算出を行う。
【００４９】
すなわち、記録時間取得手段２５において取得された記録時間が、デジタルビデオテープ１１に記録された映像信号の実質的な記録時間を示すことから、ビットレート算出手段２６は、記録時間取得手段２５において取得された記録時間に対応するビットレートを算出する。
【００５０】
従って、記録時間が２時間に満たない場合には、２時間に満たない記録時間に対応したビットレートが算出される。また、記録時間が２時間を超える場合には、２時間を超えた記録時間に対応したビットレートが算出される。そして、ビットレートを算出した後には、エンコーダ２８における符号化のビットレートが、算出したビットレートとなるようにエンコーダ２８を制御する。
【００５１】
以上説明したように、本実施形態は、デジタルビデオテープ１１に記録された映像信号を光ディスク２３に記録するときのモードとして、通常モードと自動補正モードとの２つのモードを有する構成となっている。
【００５２】
なお、商用放送を受信するチューナ部、チューナ部から出力されるアナログ映像信号をデジタル映像信号に変換してエンコーダ２８に出力するＡ／Ｄ変換部も設けられているが、これら２つのブロックについては、図示が省略されている。
【００５３】
図２は、リモートコントローラ９に設けられたキースイッチの一部を示す説明図であり、４１は、光ディスク２３を再生するときに主に使用される４つのキースイッチであり、再生キー、早送りキー、早戻しキー、停止キーを示している。４２は、装置としての種々の設定を行うためのメニュー画面を表示させる設定キーとなっている。
【００５４】
４３は、動作モードを通常モードから自動補正モードに変更するとともに、デジタルビデオテープ１１に記録された映像信号を光ディスク２３に自動的に記録させるためのキースイッチ（以下では、自動ダビングキーと称する）となっている。４４は、光ディスク２３に映像信号を記録する動作を開始させるための録画キーとなっている。また、４５は、カーソルを移動させて項目を選択するときに使用するキースイッチとなっている。
【００５５】
図３は、デジタルビデオカメラ１から出力される再生映像信号を光ディスク２３に記録するときの実施形態の主要動作を示すフローチャートである。必要に応じて同図を参照しつつ、実施形態の動作を説明する。
【００５６】
デジタルビデオカメラ１は、ケーブル２ｃ、コネクタ２ａ、コネクタ２ｂを介して、装置本体３１に接続されているとする（外部機器制御手段２４は、デジタルビデオカメラ１が接続されたことを知らされると、デジタルビデオカメラ１から、機種名や受け付けが可能なコマンドの一覧を取得して、内部に記憶する）。また、デジタルビデオカメラ１にセットされたデジタルビデオテープ１１は、８０分テープであり、ロングモードを用いて映像信号が記録されているとする。
【００５７】
この後、デジタルビデオテープ１１に記録された映像信号を、尻切れを生じることなく光ディスク２３に記録させるため、ユーザが自動ダビングキー４３を操作したとする（ステップＳ１）。自動ダビングキー４３が操作されると、マイクロコンピュータ５は、記録用のモードを、通常モードから自動補正モードに切り換える。また、マイクロコンピュータ５は、再生信号処理手段７内のオンスクリーンディスプレイ回路（図示を省略）を用いて、尻切れを生じさせることのない自動的なダビングが開始されたことをテレビ受像機１０に表示する（ステップＳ２）。
【００５８】
次いで、外部機器制御手段２４は、取得したコマンドの一覧を参照することによって、デジタルビデオカメラ１に巻き戻しの指示を与える。このため、デジタルビデオカメラ１は、指示に従い、デジタルビデオテープ１１を先頭まで巻き戻す（ステップＳ３）。次いで、外部機器制御手段２４は、デジタルビデオカメラ１に早送りの指示を与えることによって、デジタルビデオテープ１１の早送りを開始させる（ステップＳ４）。
【００５９】
デジタルビデオテープ１１の早送りが開始されると、デジタルビデオカメラ１からは、デジタルビデオテープ１１に映像信号とともに記録されたコントロール信号が出力される。このコントロール信号は、通信制御手段３を介して、マイクロコンピュータ５に導かれるので、マイクロコンピュータ５内の記録時間取得手段２５は、コントロール信号の計数を行う（ステップＳ５，Ｓ６）。
【００６０】
そして、コントロール信号の出力が停止されたときには、動作はステップＳ７に移行する。ステップＳ７に移行すると、記録時間取得手段２５は、コントロール信号の計数値から、デジタルビデオテープ１１に記録された映像信号の記録時間を算出する（コントロール信号は、映像信号とともに記録される信号であるため、コントロール信号の数は、映像信号の記録時間を示す）。
【００６１】
なお、デジタルビデオテープ１１に、ロングモードでもって、テープの最後まで映像信号が記録されている場合では、既に述べたように、映像信号の実質的な記録時間は１２０分を超える。このため、ステップＳ８において算出される記録時間は、１２４分、あるいは、１２６分、等といった値になる。
【００６２】
ビットレート算出手段２６は、記録時間取得手段２５において算出された記録時間から、光ディスク２３に記録する信号のビットレートを算出する（ステップＳ８）。なお、このとき算出されるビットレートは、記録時間取得手段２５において算出された記録時間分の映像信号を、光ディスク２３に、空きエリアを残すことなく、ぴったりと記録するための値となっている。従って、このときに算出されるビットレートは、例えば、約４．８Ｍｂｐｓ、あるいは、約４．７５Ｍｂｐｓといった値となる。
【００６３】
この後、外部機器制御手段２４は、巻き戻しの指示をデジタルビデオカメラ１に与え、デジタルビデオテープ１１の巻き戻しを行わせる（ステップＳ９）。そして、先頭まで巻き戻しが行われた後には、再生の指示を与えることによって、デジタルビデオテープ１１の再生を開始させる（ステップＳ１０）。このため、デジタルビデオカメラ１からは再生映像信号が出力される。
【００６４】
再生映像信号は、通信制御手段３を介してデコーダ２７に導かれ、伸長される。次いで、伸長された信号はエンコーダ２８に導かれ、ビットレート算出手段２６において算出されたビットレートに対応する圧縮率でもって符号化される。そして、符号化された信号（記録用映像信号）は、記録再生信号回路６を介して、光ディスク２３に記録される（ステップＳ１１）。
【００６５】
以上のことから、自動ダビングキー４３を操作したときでは、デジタルビデオテープ１１に記録された映像信号の記録時間が１２０分を超える場合（例えば、１２４分、あるいは、１２６分、等となる場合）にも、デジタルビデオテープ１１に記録された映像信号の全てが、尻切れを生じることなく、且つ、空き領域を残すことなく、光ディスク２３の記録可能なデータエリアにぴったりと収まるビットレートでもって、自動的に記録されることになる。
【実施例２】
【００６６】
以下に第２の実施形態について説明する。第２の実施形態は、電気的構成として示すときには、図１に示す構成と同一となり、ビットレート算出手段２６の構成のみが異なる。このため、ビットレート算出手段２６についてのみ、構成の説明を行う。
【００６７】
ビットレート算出手段２６は、エンコーダ２８において符号化された信号である記録用映像信号を光ディスク２３に記録するときのビットレートの算出において、記録の終了が近づくと、ビットレートが小さくなるように演算を行う。すなわち、記録の開始時のビットレートを、映像信号の記録時間が１２０分であるときに、空き領域を生じることなく、映像信号を光ディスク２３に記録するための値（以下では、規定ビットレートと称する）とする。
【００６８】
そして、規定ビットレートを用いて、記録時間取得手段２５において算出された記録時間分の映像信号を光ディスク２３に記録したと仮定したときに、空き領域がなくなって記録不能となる映像信号の長さに基づき、記録の終了が近づいたときのビットレートを算出する。すなわち、記録すべき映像信号のうちの、例えば、開始からの９０分の映像信号を、規定ビットレートでもって記録すると仮定する。そして後、光ディスク２３に残された空き領域に、残っている映像信号を、尻切れを生じることなく、記録可能にするために必要となるビットレートを算出する。
【００６９】
詳細には、ビットレート算出手段２６は、記録時間取得手段２５において算出された記録時間が、ｈ（ｈ＞１２０）分である場合、先頭からの９０分（その他の値とすることができる）の映像信号を記録するためのビットレートの値については、規定ビットレートである５．０Ｍｂｐｓに設定する。そして、残る（ｈ−９０）分の映像信号については、光ディスク２３における空き領域が、ビットレートを５．０Ｍｂｐｓとするときの時間に換算すると３０分となるので、この３０分のエリアに（ｈ−９０）分の映像信号を記録するために必要となるビットレートＲを求める（Ｒ＝５．０Ｍｂｐｓ×３０／（ｈ−９０））。
【００７０】
そして、記録が開始されたときには、記録の開始から９０分の間では、エンコーダ２８における圧縮率を、５．０Ｍｂｐｓのビットレートに対応する値に設定する。そして、９０分より後では、エンコーダ２８における圧縮率を、ビットレートＲに対応する値に設定する。
【００７１】
上記構成からなる第２の実施形態の動作は、フローチャートして示すときには、図３に示すフローチャートして示され、第１の実施形態と比するときには、ステップＳ８，Ｓ１１における動作のみが異なる。このため、第２の実施形態の動作については、ステップＳ８，Ｓ１１における動作についてのみ説明する。
【００７２】
いま、記録時間取得手段２５において算出された記録時間が、例えば、１２６分であるとすると、ステップＳ８において、ビットレート算出手段２６は、記録の開始時から９０分が経過するまでの期間におけるビットレートについては、５．０Ｍｂｐｓとする。そして、以後の期間におけるビットレートについては、（Ｒ＝５．０Ｍｂｐｓ×３０／３６）なる演算を行うことによって求まる値Ｒとする。
【００７３】
以上のことから、ステップＳ１１においては、エンコーダ２８は、記録の開始時から９０分が経過するまでの期間にあっては、ビットレートが５．０Ｍｂｐｓとなるように符号化を行う。そして、以後では、エンコーダ２８は、ビットレートがＲとなるように符号化を行う。このため、１２６分の再生映像信号は、尻切れを生じることなく、且つ、空き領域を生じることもなく、光ディスク２３の映像信号の記録可能なエリアに、ぴったりと記録されることになる。
【実施例３】
【００７４】
以下に第３の実施形態について説明する。第３の実施形態は、電気的構成として示すときには、図１に示す構成と同一となり、リモートコントローラ９のキースイッチの構成と、自動補正モードに移行させて、光ディスク２３に記録を行わせるときのキースイッチの操作方法とのみが異なるに過ぎない。このため、リモートコントローラ９のキースイッチの説明と、マイクロコンピュータ５の構成において、第１の実施形態と異なる部分についてのみ、説明を行う。
【００７５】
リモートコントローラ９におけるキースイッチ４３は、第１の実施形態では自動ダビングキーとなっていたが、第３の実施形態では自動ダビングキーは省略されているので、キースイッチ４３は、その他の指示（第１の実施形態においては、異なるキースイッチに割り当てられていた指示）を入力するためのキースイッチとして使用される。従って、第２の実施形態においては、第１の実施形態に比するときには、キースイッチの数を１つ少なくすることができるようになっている。
【００７６】
一方、マイクロコンピュータ５は、ユーザからの再生等の指示を待つ停止状態（電源オン直後の状態に等しい）にあるときに、設定キー４２が操作されると、図４に示すメニュー画面をテレビ受像機１０に表示するための制御を行う。
【００７７】
なお、このメニュー画面においては、装置としての設定の１種である再生における設定に移行するためのアイコン１０１、装置としての設定の１種であるチャンネル設定に移行するためのアイコン１０２、予約録画等の録画に関する設定に移行するためのアイコン１０３、自動補正モードに移行するためのアイコン１０４が表示される（アイコン１０４は、デジタルビデオカメラ１が接続されている場合にのみ表示され、デジタルビデオカメラ１が接続されていない場合には、不必要なので表示されない）。また、その他の設定のためのアイコン１０５，１０６が表示される。
【００７８】
図４に示すメニュー画面が表示された状態において、カーソルをアイコン１０４に移動し、決定キーを操作すると、マイクロコンピュータ５は、自動補正モードへの移行の指示が入力されたとみなす。そして後、録画キー４４が操作されると、マイクロコンピュータ５は、自動補正モードによる記録動作（デジタルビデオカメラ１にセットされたデジタルビデオテープ１１に記録された映像信号を、尻切れを生じることなく、且つ、空き領域を生じさせることなく、光ディスク２３の記録エリアに、ぴったりと記録させる動作であり、図３のステップＳ３〜Ｓ１１からなる動作）を開始する。
【００７９】
なお、デジタルビデオカメラ１が接続された状態において、図４に示すメニュー画面を表示する場合、カーソルの初期位置をアイコン１０４とするときでは、自動補正モードに移行するためのキー操作が、決定キーの操作のみとなるので、使い勝手をより向上させることができる。
【００８０】
なお、本発明は上記実施形態に限定されず、記録時間取得手段２５については、デジタルビデオカメラ１から出力されるコントロール信号に基づいて、デジタルビデオテープ１１に記録された映像信号の記録時間を算出する構成とした場合について説明したが、デジタルビデオテープ１１を早送りしたときにデジタルビデオカメラ１から出力されるタイムスタンプに基づいて、前記記録時間を算出する構成、あるいは、コントロール信号とタイムスタンプとの双方に基づいて、前記記録時間を算出する構成とすることができる。
【００８１】
また、第２の実施形態については、記録の終了側において、１段階だけビットレートを低くする構成とした場合について説明したが、２段階、あるいは、３段階に渡ってビットレートを低くする構成とすることができる。
【図面の簡単な説明】
【００８２】
【図１】本発明に係る映像信号記録装置の一実施形態であるＤＶＤレコーダの電気的構成を示すブロック線図である。
【図２】リモートコントローラに設けられたキースイッチの一部を示す説明図である。
【図３】デジタルビデオテープに記録された映像信号を光ディスクに記録するときの実施形態の主要動作を示すフローチャートである。
【図４】第３の実施形態において、設定キーを操作したときに表示されるメニュー画面を示す説明図である。
【符号の説明】
【００８３】
１  デジタルビデオカメラ
４  信号変換手段
９  リモートコントローラ
１１  デジタルビデオテープ
２３  光ディスク
２４  外部機器制御手段
２５  記録時間取得手段
２６  ビットレート算出手段
３１  装置本体
４３  自動ダビングキー
１０４  自動補正モードを示すアイコン
【図１】
2005167742.tif 000003
【図２】
2005167742.tif 000004
【図３】
2005167742.tif 000005
【図４】
2005167742.tif 000006